(57)【特許請求の範囲】
【請求項１】
宛名情報の表示制御を行う個人情報表示プログラムにおいて、
個人番号の表示に先立って、宛名情報の一部である氏名情報の表示と、前記個人番号を表示しない状態での個人番号表示欄の表示とを行うとともに、前記個人番号の表示指示を受け付ける操作部品を表示し、
前記操作部品に対する操作による前記個人番号の表示指示に応じて、前記操作に関する、前記個人番号を含まない操作ログを記録するとともに、前記個人番号表示欄への前記個人番号の表示を行う、
処理をコンピュータに実行させることを特徴とする個人情報表示プログラム。
【請求項２】
前記氏名情報と、前記個人番号表示欄と、前記操作部品とを含む表示は、宛名検索依頼に応じた検索結果を示す初期画面で行われる、ことを特徴とする請求項１に記載の個人情報表示プログラム。
【請求項３】
前記宛名検索依頼は、前記個人番号の指定を含むことを特徴とする請求項２に記載の個人情報表示プログラム。
【請求項４】
前記宛名検索依頼は、前記氏名の指定を含むことを特徴とする請求項２に記載の個人情報表示プログラム。
【請求項５】
宛名情報の表示制御を行う個人情報表示方法において、
個人番号の表示に先立って、宛名情報の一部である氏名情報の表示と、前記個人番号を表示しない状態での個人番号表示欄の表示とを行うとともに、前記個人番号の表示指示を受け付ける操作部品を表示し、
前記操作部品に対する操作による前記個人番号の表示指示に応じて、前記操作に関する、前記個人番号を含まない操作ログを記録するとともに、前記個人番号表示欄への前記個人番号の表示を行う、
処理をコンピュータが実行することを特徴とする個人情報表示方法。
【請求項６】
宛名情報の表示制御を行う表示制御装置において、
個人番号の表示に先立って、宛名情報の一部である氏名情報の表示と、前記個人番号を表示しない状態での個人番号表示欄の表示とを行うとともに、前記個人番号の表示指示を受け付ける操作部品を表示し、
前記操作部品に対する操作による前記個人番号の表示指示に応じて、前記操作に関する、前記個人番号を含まない操作ログを記録するとともに、前記個人番号表示欄への前記個人番号の表示を行う、
制御部を有することを特徴とする表示制御装置。
【請求項７】
個人情報の検索依頼を受け付け、
個人番号を含む個人情報を記憶した記憶部を参照して、前記検索依頼に対応する個人情報を読み出し、
読み出した前記個人情報の内の少なくとも個人番号の情報を除く情報と、前記個人番号について表示させる指示を受け付ける受け付け部とを検索結果として出力し、
前記受け付け部において前記個人番号について表示させる指示を受け付けた場合に、前記個人番号を表示させるとともに、該個人番号を表示させたことを示す、該個人番号を含まない操作ログを記憶部に記憶する、
処理をコンピュータに実行させることを特徴とする個人情報表示プログラム。
【請求項８】
前記個人情報の何れかを前記検索依頼の検索条件として受け付け、
前記検索条件として入力された前記個人番号以外の個人情報については検索条件の繰り返し入力の対象として記憶し、前記検索条件として入力された前記個人番号については検索条件の繰り返し入力の対象として記憶しない、制御を行う、
処理をさらに前記コンピュータに実行させることを特徴とする請求項７に記載の個人情報表示プログラム。
【請求項９】
個人情報の検索依頼を受け付け、
個人番号を含む個人情報を記憶した記憶部を参照して、前記検索依頼に対応する個人情報を読み出し、
読み出した前記個人情報の内の少なくとも個人番号の情報を除く情報と、前記個人番号について表示させる指示を受け付ける受け付け部とを検索結果として出力し、
前記受け付け部において前記個人番号について表示させる指示を受け付けた場合に、前記個人番号を表示させるとともに、該個人番号を表示させたことを示す、該個人番号を含まない操作ログを記憶部に記憶する、
処理をコンピュータが実行することを特徴とする個人情報表示方法。
【請求項１０】
個人情報の検索依頼を受け付け、
個人番号を含む個人情報を記憶した記憶部を参照して、前記検索依頼に対応する個人情報を読み出し、
読み出した前記個人情報の内の少なくとも個人番号の情報を除く情報と、前記個人番号について表示させる指示を受け付ける受け付け部とを検索結果として出力し、
前記受け付け部において前記個人番号について表示させる指示を受け付けた場合に、前記個人番号を表示させるとともに、該個人番号を表示させたことを示す、該個人番号を含まない操作ログを記憶部に記憶する、
制御部を有することを特徴とする表示制御装置。
【発明の詳細な説明】
【技術分野】
【０００１】
本発明は、個人情報表示プログラム、個人情報表示方法、および表示制御装置に関する。
【背景技術】
【０００２】
今後、マイナンバー（社会保障・税番号）制度が施行される予定である。マイナンバー制度は、住民票を有する国民一人一人に固有の個人番号（マイナンバー）を割り振り、社会保障や納税に関する個人情報を管理するためのものである。個人番号は、申請により交付される個人番号カードに印字され、住民票の氏名、住所、生年月日、性別の基本４情報と関連付けられる。
【０００３】
マイナンバー制度に関し、各自治体は情報提供等記録開示システムを設置することが義務付けられている。情報提供等記録開示システムは、情報提供等記録表示を一つの業務としている。この業務は、個人の特定個人情報を、いつ、誰が、何故情報提供したのかを確認するものである。
【０００４】
また、マイナンバー制度の施行後は、例えば、既存の業務システムで個人を特定する宛名番号と関連付けて、個人の個人番号や基本４情報が業務システム上で管理される。先行技術としては、例えば、データ提供者の公開情報と秘密情報とを対応付けて格納するデータベースへのアクセスを制御する技術がある。
【先行技術文献】
【特許文献】
【０００５】
【特許文献１】特開２００５−１８２７０７号公報
【発明の概要】
【発明が解決しようとする課題】
【０００６】
しかしながら、従来技術では、自治体の職員が、宛名番号に基づく業務を行う際に、業務システム上で個人番号が表示されると、職員への過分な個人情報の情報提供が発生してしまう場合がある。
【０００７】
一つの側面では、本発明は、無用な個人番号の表示を抑止する個人情報表示プログラム、個人情報表示方法、および表示制御装置を提供することを目的とする。
【課題を解決するための手段】
【０００８】
本発明の一側面によれば、宛名情報の表示制御を行うにあたり、個人番号の表示に先立って、宛名情報の一部である氏名情報の表示と、前記個人番号を表示しない状態での個人番号表示欄の表示とを行うとともに、前記個人番号の表示指示を受け付ける操作部品を表示し、前記操作部品に対する操作による前記個人番号の表示指示に応じて、該操作ログを記録するとともに、前記個人番号表示欄への前記個人番号の表示を行う個人情報表示プログラム、個人情報表示方法、および表示制御装置が提案される。
【０００９】
また、本発明の一側面によれば、個人情報の検索依頼を受け付け、個人番号を含む個人情報を記憶した記憶部を参照して、前記検索依頼に対応する個人情報を読み出し、読み出した前記個人情報の内の、少なくとも個人番号の情報を除く情報を検索結果として出力する個人情報表示プログラム、個人情報表示方法、および表示制御装置が提案される。
【発明の効果】
【００１０】
本発明の一態様によれば、無用な個人番号の表示を抑止することができるという効果を奏する。
【図面の簡単な説明】
【００１１】
【図１】図１は、実施の形態にかかる個人情報表示方法の一実施例を示す説明図である。
【図２】図２は、業務支援システム２００のシステム構成例を示す説明図である。
【図３】図３は、表示制御装置１０１のハードウェア構成例を示すブロック図である。
【図４】図４は、クライアント端末１０２のハードウェア構成例を示すブロック図である。
【図５】図５は、宛名情報ＤＢ２２０の記憶内容の一例を示す説明図である。
【図６】図６は、宛名検索画面の画面例を示す説明図である。
【図７】図７は、表示制御装置１０１の機能的構成例を示すブロック図である。
【図８】図８は、検索条件ファイルの具体例を示す説明図である。
【図９】図９は、個人番号表示欄１３０への個人番号の表示例を示す説明図である。
【図１０】図１０は、操作ログの具体例を示す説明図（その１）である。
【図１１】図１１は、操作ログの具体例を示す説明図（その２）である。
【図１２】図１２は、表示制御装置１０１の個人情報表示処理手順の一例を示すフローチャートである。
【発明を実施するための形態】
【００１２】
以下に図面を参照して、本発明にかかる個人情報表示プログラム、個人情報表示方法、および表示制御装置の実施の形態を詳細に説明する。
【００１３】
（個人情報表示方法の一実施例）
図１は、実施の形態にかかる個人情報表示方法の一実施例を示す説明図である。図１において、表示制御装置１０１は、宛名情報の表示制御を行うコンピュータである。表示制御装置１０１は、例えば、自治体向けに設置されるサーバである。自治体は、例えば、市区町村などの地方公共団体である。クライアント端末１０２は、自治体の職員が使用するコンピュータである。クライアント端末１０２は、例えば、ＰＣ（パーソナル・コンピュータ）、ノートＰＣなどである。
【００１４】
ここで、宛名情報とは、自治体の業務において管理対象となっている個人の宛名番号に対して、個人番号、基本４情報（住所、氏名、生年月日、性別）などの個人情報を対応付けた情報である。宛名番号は、業務システムにおいて個人を特定するための番号であり、例えば、各業務システムで独自の番号が個人に割り振られる。
【００１５】
個人番号は、マイナンバー制度において住民票を有する国民一人一人に割り振られる固有の番号であり、各自治体の住民票記録システムで管理されている住民票コードをもとに採番される。個人番号は、行政手続における特定の個人を識別するための番号となり、取り扱いに細心の注意を要する特定個人情報である。
【００１６】
また、マイナンバー制度の導入にともなって、例えば、自治体の職員が、行政手続を行う者から口頭あるいは申告書等の紙媒体で個人番号の提供を受けた場合、本人確認に加えて、個人番号の真正性を確認するための事務を行う。真正性の確認は、他人の個人番号を利用することによる成りすましを防ぐために行われ、個人番号の提供を受ける都度実施する必要がある。
【００１７】
ここで、個人の個人番号は、例えば、基本４情報、住民票コード等を検索キーとして住基ネット（住民基本台帳ネットワークシステム）に問い合わせることにより確認することができる。このため、自治体の職員は、例えば、提供された個人番号と住基ネットから得られる個人番号とを照合することにより、真正性の確認を行うことができる。
【００１８】
ただし、２回目以降の真正性の確認は、初回の確認時に得られた個人番号と照合する形で実施してもよいことが規定されている。すなわち、初回の確認事務を行った後は、業務システム上の宛名情報として管理されている個人番号を用いて、真正性の確認を行うことができる。また、人口が３０万人以上の大規模な自治体では、例えば、個人住民税等で毎年何万件の申告書が発生するため、税務システムの中で真正性の確認を行えることが望ましい。
【００１９】
ところが、業務にかかる全ての事務において個人番号を確認する必要があるわけではなく、個人番号の確認を行わなくてもよい事務もある。したがって、自治体の職員が、宛名番号に基づく業務を行う際に、業務システム上で個人番号が表示されると、職員への過分な個人情報の情報提供が発生してしまう場合がある。
【００２０】
また、個人番号の情報提供が発生した場合には、いつ、誰が、どのような理由で個人番号を参照したのかを記録に取ることが義務づけられている。このため、宛名番号に基づく業務を行う際に、職員が意図せずに個人番号が表示されたとしても、その記録が取られることになる。
【００２１】
そこで、本実施の形態では、自治体の職員が業務を行う際の無用な個人番号の表示を抑止する個人情報表示方法について説明する。以下、表示制御装置１０１の表示制御例について説明する。
【００２２】
（１）表示制御装置１０１は、クライアント端末１０２から宛名検索依頼を受け付ける。ここで、宛名検索依頼とは、宛名情報の検索依頼である。また、宛名情報は、上述したように、宛名番号と、個人番号、基本４情報などを含む個人情報とを対応付けた情報である。宛名検索依頼には、例えば、検索条件として、個人番号の指定が含まれていてもよく、また、氏名の指定が含まれていてもよい。
【００２３】
（２）表示制御装置１０１は、受け付けた宛名検索依頼に応じて、記憶部１１０を参照して、宛名検索依頼に対応する宛名情報を読み出す。ここで、記憶部１１０は、宛名情報を記憶する記憶装置である。例えば、宛名検索依頼に個人番号の指定が含まれる場合、表示制御装置１０１は、指定された個人番号に対応する宛名情報を記憶部１１０から読み出す。
【００２４】
（３）表示制御装置１０１は、読み出した宛名情報のうちの、少なくとも個人番号の情報を除く情報を検索結果として出力する。具体的には、例えば、表示制御装置１０１は、個人番号の表示に先立って、宛名情報の一部である氏名情報の表示と、個人番号を表示しない状態での個人番号表示欄の表示とを行うとともに、個人番号の表示指示を受け付ける操作部品をクライアント端末１０２に表示させる。
【００２５】
図１の例では、クライアント端末１０２の表示画面（例えば、後述の図４に示すディスプレイ４０６）に宛名照会画面１２０が表示される。宛名照会画面１２０は、宛名検索依頼に応じた検索結果を示す初期画面である。宛名照会画面１２０では、宛名情報の一部であるカナ氏名、漢字氏名、住所等が表示されている。また、宛名照会画面１２０では、個人番号を表示しない状態での個人番号表示欄１３０と、操作部品１４０とが表示されている。操作部品１４０は、個人番号の表示指示を受け付ける受け付け部である。
【００２６】
宛名照会画面１２０によれば、自治体の職員は、宛名番号「１２６００００４９８１」により特定される個人のカナ氏名、漢字氏名、住所等を確認することができる。また、初期画面では個人番号表示欄１３０に個人番号が表示されておらず、職員への過分な個人情報の情報提供が行われていない。
【００２７】
このように、表示制御装置１０１によれば、自治体の職員が業務システム上で何らかの事務（図１の例では、宛名照会）を行う際に、宛名検索依頼に応じた検索結果を示す初期画面における無用な個人番号の表示を抑止することができる。
【００２８】
また、表示制御装置１０１は、操作部品に対する操作による個人番号の表示指示を受け付けた場合には、当該表示指示に応じて、操作ログを記録するとともに、個人番号表示欄への個人番号の表示を行う。操作ログは、いつ、誰が、どのような理由で個人番号を参照したのかを特定可能な情報である。
【００２９】
例えば、宛名照会画面１２０において、職員の操作入力により、操作部品１４０がクリックされると、操作ログが記録されるとともに、個人番号表示欄１３０に個人番号が表示される。すなわち、職員は、真正性の確認などで、個人番号の表示が必要なときは、操作部品１４０をクリックすることで、個人番号を確認することができる。
【００３０】
（業務支援システム２００のシステム構成例）
つぎに、実施の形態にかかる業務支援システム２００のシステム構成例について説明する。
【００３１】
図２は、業務支援システム２００のシステム構成例を示す説明図である。図２において、業務支援システム２００は、表示制御装置１０１と、複数のクライアント端末１０２と、を含む。業務支援システム２００において、表示制御装置１０１および複数のクライアント端末１０２は、有線または無線のネットワーク２１０を介して接続される。ネットワーク２１０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどである。
【００３２】
ここで、表示制御装置１０１は、宛名情報ＤＢ（データベース）２２０および操作ログＤＢ２３０を有する。表示制御装置１０１は、例えば、自治体の税務システム、国民健康保険システム、国民年金システムなどの業務システムに適用される業務サーバである。宛名情報ＤＢ２２０は、例えば、図１に示した記憶部１１０に対応する。クライアント端末１０２は、上述したように、自治体の職員が使用するＰＣ、ノートＰＣなどである。
【００３３】
なお、宛名情報ＤＢ２２０の記憶内容については、図５を用いて後述する。また、操作ログＤＢ２３０の記憶内容については、図１０および図１１を用いて後述する。
【００３４】
（表示制御装置１０１のハードウェア構成例）
図３は、表示制御装置１０１のハードウェア構成例を示すブロック図である。図３において、表示制御装置１０１は、ＣＰＵ（Ｃｅｎｔｒａｌ  Ｐｒｏｃｅｓｓｉｎｇ  Ｕｎｉｔ）３０１と、メモリ３０２と、Ｉ／Ｆ（Ｉｎｔｅｒｆａｃｅ）３０３と、ディスクドライブ３０４と、ディスク３０５と、を有する。また、各構成部は、バス３００によってそれぞれ接続される。
【００３５】
ここで、ＣＰＵ３０１は、表示制御装置１０１の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭがＣＰＵ３０１のワークエリアとして使用される。メモリ３０２に記憶されるプログラムは、ＣＰＵ３０１にロードされることで、コーディングされている処理をＣＰＵ３０１に実行させる。
【００３６】
Ｉ／Ｆ３０３は、通信回線を通じてネットワーク２１０に接続され、ネットワーク２１０を介して他の装置（例えば、図２に示したクライアント端末１０２）に接続される。そして、Ｉ／Ｆ３０３は、ネットワーク２１０と自装置内部とのインターフェースを司り、他の装置からのデータの入出力を制御する。Ｉ／Ｆ３０３には、例えば、モデムやＬＡＮアダプタなどを採用することができる。
【００３７】
ディスクドライブ３０４は、ＣＰＵ３０１の制御に従ってディスク３０５に対するデータのリード／ライトを制御する。ディスク３０５は、ディスクドライブ３０４の制御で書き込まれたデータを記憶する。ディスク３０５としては、例えば、磁気ディスク、光ディスクなどが挙げられる。
【００３８】
なお、表示制御装置１０１は、上述した構成部のほか、例えば、ＳＳＤ（Ｓｏｌｉｄ  Ｓｔａｔｅ  Ｄｒｉｖｅ）、キーボード、マウス、ディスプレイなどを有することにしてもよい。
【００３９】
（クライアント端末１０２のハードウェア構成例）
図４は、クライアント端末１０２のハードウェア構成例を示すブロック図である。図４において、クライアント端末１０２は、ＣＰＵ４０１と、メモリ４０２と、ディスクドライブ４０３と、ディスク４０４と、Ｉ／Ｆ４０５と、ディスプレイ４０６と、入力装置４０７と、を有する。また、各構成部はバス４００によってそれぞれ接続される。
【００４０】
ここで、ＣＰＵ４０１は、クライアント端末１０２の全体の制御を司る。メモリ４０２は、例えば、ＲＯＭ、ＲＡＭおよびフラッシュＲＯＭなどを有する。具体的には、例えば、フラッシュＲＯＭやＲＯＭが各種プログラムを記憶し、ＲＡＭがＣＰＵ４０１のワークエリアとして使用される。メモリ４０２に記憶されるプログラムは、ＣＰＵ４０１にロードされることで、コーディングされている処理をＣＰＵ４０１に実行させる。
【００４１】
ディスクドライブ４０３は、ＣＰＵ４０１の制御に従ってディスク４０４に対するデータのリード／ライトを制御する。ディスク４０４は、ディスクドライブ４０３の制御で書き込まれたデータを記憶する。ディスク４０４としては、例えば、磁気ディスク、光ディスクなどが挙げられる。
【００４２】
Ｉ／Ｆ４０５は、通信回線を通じてネットワーク２１０に接続され、ネットワーク２１０を介して他の装置（例えば、図２に示した表示制御装置１０１）に接続される。そして、Ｉ／Ｆ４０５は、ネットワーク２１０と自装置内部とのインターフェースを司り、他の装置からのデータの入出力を制御する。
【００４３】
ディスプレイ４０６は、カーソル、アイコンあるいはツールボックスをはじめ、文書、画像、機能情報などのデータを表示する。ディスプレイ４０６は、例えば、液晶ディスプレイ、ＣＲＴ（Ｃａｔｈｏｄｅ  Ｒａｙ  Ｔｕｂｅ）などを採用することができる。
【００４４】
入力装置４０７は、文字、数字、各種指示などの入力のためのキーを有し、データの入力を行う。入力装置４０７は、キーボードやマウスなどであってもよく、また、タッチパネル式の入力パッドやテンキーなどであってもよい。
【００４５】
（宛名情報ＤＢ２２０の記憶内容）
つぎに、表示制御装置１０１が有する宛名情報ＤＢ２２０の記憶内容について説明する。宛名情報ＤＢ２２０は、例えば、図３に示したメモリ３０２、ディスク３０５などの記憶装置により実現される。
【００４６】
図５は、宛名情報ＤＢ２２０の記憶内容の一例を示す説明図である。図５において、宛名情報ＤＢ２２０は、宛名番号、個人番号、氏名（カナ）、氏名（漢字）、生年月日、性別、住所および市町村コードのフィールドを有する。各フィールドに情報を設定することにより、宛名情報（例えば、宛名情報５００−１，５００−２）がレコードとして記憶される。
【００４７】
ここで、宛名番号は、業務システムにおいて管理対象となる個人を特定する番号である。例えば、税務システムに表示制御装置１０１が適用された場合、宛名番号は、税務システムにおいて管理対象となる個人を一意に識別する番号となる。なお、管理対象となる個人には、自治体に住民票を登録している者（いわゆる、住登者）だけでなく、自治体に住民票を登録していない者（いわゆる、住登外者）も含まれる。
【００４８】
個人番号は、業務システムにおいて管理対象となる個人に割り振られた固有の番号（マイナンバー）である。氏名（カナ）は、業務システムにおいて管理対象となる個人のカナ表記された氏名である。氏名（漢字）は、業務システムにおいて管理対象となる個人の漢字表記された氏名である。
【００４９】
生年月日は、業務システムにおいて管理対象となる個人の生年月日である。性別は、業務システムにおいて管理対象となる個人の性別である。住所は、業務システムにおいて管理対象となる個人の日本語表記された住所である。市町村コードは、業務システムにおいて管理対象となる個人の住所が属する市区町村を一意に識別するコード番号である。
【００５０】
なお、図示は省略するが、宛名情報ＤＢ２２０には、例えば、宛名番号と対応付けて、世帯情報（世帯番号、続柄等）、異動事由、異動日などの情報が記憶されていてもよい。
【００５１】
（宛名検索画面の画面例）
つぎに、クライアント端末１０２のディスプレイ４０６に表示される宛名検索画面の画面例について説明する。
【００５２】
図６は、宛名検索画面の画面例を示す説明図である。図６において、宛名検索画面６００は、宛名検索依頼を行う操作画面である。
【００５３】
宛名検索画面６００において、例えば、図４に示した入力装置４０７を用いたユーザの操作入力により、ボックス６０１をクリックすると、宛名番号を検索条件として入力することができる。また、宛名検索画面６００において、例えば、ユーザの操作入力により、ボックス６０２をクリックすると、個人番号を検索条件として入力することができる。
【００５４】
また、宛名検索画面６００において、例えば、ユーザの操作入力により、ボックス６０３をクリックすると、カナ氏名を検索条件として入力することができる。また、宛名検索画面６００において、例えば、ユーザの操作入力により、ボックス６０４をクリックすると、漢字氏名を検索条件として入力することができる。
【００５５】
また、宛名検索画面６００において、例えば、ユーザの操作入力により、ボックス６０５をクリックすると、生年月日を検索条件として入力することができる。また、宛名検索画面６００において、例えば、ユーザの操作入力により、ボックス６０６をクリックすると、住所を検索条件として入力することができる。
【００５６】
図６の例では、ボックス６０３がクリックされて、カナ氏名「アンシン  タロウ」が入力されている。また、ボックス６０４がクリックされて、漢字氏名「安心  太郎」が入力されている。また、ボックス６０６がクリックされて、住所「１１８−００７１  あんしん市上区文月町１番」が入力されている。
【００５７】
また、宛名検索画面６００において、例えば、ユーザの操作入力により、検索ボタン６１０がクリックされると、入力された検索条件を指定した宛名検索依頼が、クライアント端末１０２から表示制御装置１０１に送信される。
【００５８】
図６の例では、検索条件として、カナ氏名、漢字氏名および住所が指定された宛名検索依頼が表示制御装置１０１に送信される。この結果、宛名検索画面６００の表示が終了し、宛名検索依頼に対応する検索結果を示す初期画面（例えば、図１に示した宛名照会画面１２０）がディスプレイ４０６に表示される。
【００５９】
なお、宛名検索依頼に対応する検索結果が複数存在する場合は、例えば、複数の検索結果をリスト化した一覧表を宛名検索画面６００内に表示することにしてもよい。ただし、個人番号については一覧表に表示しない。この場合、一覧表からいずれかの検索結果が選択された場合に、当該検索結果を示す初期画面がディスプレイ４０６に表示される。
【００６０】
また、宛名検索画面６００において、例えば、ユーザの操作入力により、引き継ぎボタン６２０がクリックされると、検索条件の繰り返し入力の指定を含む宛名検索依頼が、クライアント端末１０２から表示制御装置１０１に送信される。これにより、前回の宛名検索依頼時と同じ検索条件を繰り返し指定することが可能となり、職員が同一人物について異なる事務を行う場合などに、同じ検索条件を繰り返し入力する手間を省略することができる。
【００６１】
なお、前回の宛名検索依頼時に指定された検索条件は、例えば、後述の図８に示す検索条件ファイル８００に記録されている。また、宛名検索画面６００のような宛名検索依頼を行う操作画面は、例えば、業務システム上で行う業務ごとに用意される。同様に、宛名検索依頼に対応する検索結果を示す初期画面についても、業務システム上で行う業務ごとに用意される。
【００６２】
（表示制御装置１０１の機能的構成例）
図７は、表示制御装置１０１の機能的構成例を示すブロック図である。図７において、表示制御装置１０１は、受付部７０１と、抽出部７０２と、表示制御部７０３と、記録部７０４と、を含む構成である。受付部７０１〜記録部７０４は制御部となる機能であり、具体的には、例えば、図３に示したメモリ３０２、ディスク３０５などの記憶装置に記憶されたプログラムをＣＰＵ３０１に実行させることにより、または、Ｉ／Ｆ３０３により、その機能を実現する。各機能部の処理結果は、例えば、メモリ３０２、ディスク３０５などの記憶装置に記憶される。
【００６３】
受付部７０１は、宛名検索依頼を受け付ける。ここで、宛名検索依頼は、宛名情報の検索依頼であり、検索条件の指定を含む。検索条件としては、例えば、個人番号、宛名番号、氏名、住所、生年月日、性別、および、これらの組み合わせなどが指定される。具体的には、例えば、受付部７０１は、クライアント端末１０２から受信された宛名検索依頼を受け付ける。
【００６４】
抽出部７０２は、宛名検索依頼を受け付けたことに応じて、宛名情報ＤＢ２２０（例えば、図５参照）から、宛名検索依頼に対応する宛名情報を抽出する。例えば、宛名検索依頼に個人番号の指定が含まれる場合、抽出部７０２は、指定された個人番号に対応する宛名情報を宛名情報ＤＢ２２０から抽出する。また、例えば、宛名検索依頼に宛名番号の指定が含まれる場合、抽出部７０２は、指定された宛名番号に対応する宛名情報を宛名情報ＤＢ２２０から抽出する。
【００６５】
また、例えば、宛名検索依頼に氏名の指定が含まれる場合、抽出部７０２は、指定された氏名に対応する宛名情報を宛名情報ＤＢ２２０から抽出する。また、例えば、宛名検索依頼に住所の指定が含まれる場合、抽出部７０２は、指定された住所に対応する宛名情報を宛名情報ＤＢ２２０から抽出する。また、例えば、宛名検索依頼に生年月日の指定が含まれる場合、抽出部７０２は、指定された生年月日に対応する宛名情報を宛名情報ＤＢ２２０から抽出する。
【００６６】
また、複数の検索条件が指定されている場合には、複数の検索条件の組み合わせに対応する宛名情報を宛名情報ＤＢ２２０から抽出する。例えば、検索条件として、図６に示したように、カナ氏名「アンシン  タロウ」、漢字氏名「安心  太郎」および住所「１１８−００７１  あんしん市上区文月町１番」が指定された宛名検索依頼を受け付けた場合を想定する。この場合、抽出部７０２は、宛名情報ＤＢ２２０から、複数の検索条件の組み合わせに対応する宛名情報５００−１を抽出する。
【００６７】
表示制御部７０３は、抽出された宛名情報のうちの、少なくとも個人番号の情報を除く情報を検索結果として出力する。具体的には、例えば、表示制御部７０３は、宛名検索依頼に応じた検索結果を示す初期画面において、宛名情報に含まれる氏名の表示と、個人番号を表示しない状態での個人番号表示欄の表示とを行うとともに、個人番号の表示指示を受け付ける操作部品を表示する制御を行う。この際、表示制御部７０３は、宛名情報に含まれる宛名番号、生年月日、性別、住所、市町村コードなどの、個人番号以外の情報を、氏名とともに表示する制御を行うことにしてもよい。
【００６８】
より具体的には、例えば、表示制御部７０３は、抽出された宛名情報５００−１に基づいて、図１に示したような宛名照会画面１２０の画面情報を生成する。そして、表示制御部７０３は、生成した宛名照会画面１２０の画面情報をクライアント端末１０２に送信することにより、クライアント端末１０２のディスプレイ４０６に宛名照会画面１２０を表示させる。
【００６９】
宛名照会画面１２０は、カナ氏名「アンシン  タロウ」、漢字氏名「安心  太郎」および住所「１１８−００７１  あんしん市上区文月町１番」が指定された宛名検索依頼に応じた検索結果を示す初期画面である。宛名照会画面１２０では、宛名情報５００−１に含まれる宛名番号、氏名（カナ）、氏名（漢字）、生年月日、性別、住所などの、個人番号以外の情報が表示される。また、宛名照会画面１２０では、個人番号を表示しない状態での個人番号表示欄１３０と、操作部品１４０とが表示される。
【００７０】
記録部７０４は、宛名検索依頼を受け付けた場合、検索条件として入力された個人番号以外の個人情報については検索条件の繰り返し入力の対象として記録し、検索条件として入力された個人番号については検索条件の繰り返し入力の対象として記録しない。繰り返し入力の対象となる検索条件は、例えば、自治体の職員が同一人物について異なる複数の事務を行う場合などに、繰り返し使用される検索条件である。
【００７１】
具体的には、例えば、記録部７０４は、宛名検索依頼に含まれる個人番号以外の検索条件を検索条件ファイルに記録する。検索条件ファイルは、繰り返し入力の対象となる検索条件を記憶するファイルであり、クライアント端末１０２のユーザ単位（例えば、自治体の職員単位）に作成される。
【００７２】
ここで、図８を用いて、検索条件ファイルの具体例について説明する。検索条件ファイルは、例えば、メモリ３０２、ディスク３０５などの記憶装置に記憶される。
【００７３】
図８は、検索条件ファイルの具体例を示す説明図である。ここでは、検索条件として、個人番号「１１１１１１１１１１１１」、漢字氏名「安心  太郎」、住所「１１８−００７１  あんしん市上区文月町１番」および生年月日「１９８７１２２８」が指定された宛名検索依頼を受け付けた場合を想定する。
【００７４】
記録部７０４は、検索条件として入力された個人番号以外の個人情報については検索条件の繰り返し入力の対象として記録し、検索条件として入力された個人番号については検索条件の繰り返し入力の対象として記録しない。繰り返し入力の対象となる検索条件は、例えば、自治体の職員が同一人物について異なる複数の事務を行う場合などに、繰り返し使用される検索条件である。
【００７５】
ここでは、記録部７０４は、宛名検索依頼に含まれる漢字氏名「安心  太郎」、住所「１１８−００７１  あんしん市上区文月町１番」および生年月日「１９８７１２２８」を、繰り返し入力の対象となる検索条件として検索条件ファイル８００に記録する。一方で、記録部７０４は、宛名検索依頼に含まれる個人番号「１１１１１１１１１１１１」については、検索条件の繰り返し入力の対象として検索条件ファイル８００に記録しない。
【００７６】
図７の説明に戻り、抽出部７０２は、宛名検索依頼が検索条件の繰り返し入力の指定を含む場合には、前回の宛名検索依頼時と同じ検索条件に合致する宛名情報を宛名情報ＤＢ２２０から抽出する。具体的には、例えば、抽出部７０２は、宛名検索依頼が検索条件の繰り返し入力の指定を含む場合には、図８に示した検索条件ファイル８００に記録された検索条件に合致する宛名情報を抽出する。
【００７７】
また、受付部７０１は、操作部品に対する操作による個人番号の表示指示を受け付ける。ここで、個人番号の表示指示は、宛名検索依頼に応じた検索結果を示す初期画面において行われる。例えば、図１に示した宛名照会画面１２０は、宛名検索依頼に応じた検索結果を示す初期画面の一例である。
【００７８】
宛名照会画面１２０において、ユーザの操作入力により、操作部品１４０がクリックされると、クライアント端末１０２から表示制御装置１０１に個人番号の表示指示が送信される。そして、受付部７０１は、クライアント端末１０２から受信された個人番号の表示指示を受け付ける。
【００７９】
また、表示制御部７０３は、個人番号の表示指示に応じて、個人番号の表示を行う。具体的には、例えば、表示制御部７０３は、宛名照会画面１２０において、操作部品１４０に対する操作による個人番号の表示指示を受け付けたことに応じて、宛名照会画面１２０内の個人番号表示欄１３０へ、宛名情報５００−１に含まれる個人番号を表示させる制御を行う。
【００８０】
なお、宛名照会画面１２０内の個人番号表示欄１３０への個人番号の表示例については、図９を用いて後述する。
【００８１】
また、記録部７０４は、個人番号の表示指示を受け付けた場合、操作ログを記録する。ここで、操作ログは、クライアント端末１０２で行われた操作の操作ログである。個人番号の表示指示を受け付けた場合に記録される操作ログには、例えば、いつ、誰が、どのような理由で個人番号を参照したのかを特定可能な情報が含まれる。
【００８２】
なお、操作ログの具体例については、図１０および図１１を用いて後述する。また、操作ログは、例えば、操作ログＤＢ２３０（図２参照）に記録される。操作ログＤＢ２３０は、例えば、図３に示したメモリ３０２、ディスク３０５などの記憶装置により実現される。
【００８３】
（個人番号の表示例）
つぎに、宛名照会画面１２０内の個人番号表示欄１３０への個人番号の表示例について説明する。
【００８４】
図９は、個人番号表示欄１３０への個人番号の表示例を示す説明図である。図９の（９−１）において、宛名照会画面１２０は、宛名検索依頼に応じた検索結果を示す初期画面である。宛名照会画面１２０は、個人番号を表示しない状態での個人番号表示欄１３０と、操作部品１４０とを含む。
【００８５】
ここでは、申告書により提供された住登外（住民登録外）の個人番号について、２回目以降の真正性の確認を行う場合を想定する。この場合、宛名照会画面１２０において、入力装置４０７を用いたユーザの操作入力により、操作部品１４０をクリックすると、操作ログ（例えば、図１０に示す操作ログ１０００）が記録されるとともに、個人番号表示欄１３０に個人番号が表示される。
【００８６】
図９の（９−２）において、宛名照会画面１２０内の個人番号表示欄１３０には、個人番号「１１１１１１１１１１１１」が表示されている。これにより、自治体の職員は、例えば、申告書により提供された個人番号と、個人番号表示欄１３０に表示された個人番号とを照合することにより、真正性の確認を行うことができる。
【００８７】
また、宛名照会画面１２０において、ユーザの操作入力により、閉じるボタン９０１をクリックすると、宛名照会画面１２０の表示終了指示がクライアント端末１０２から表示制御装置１０１に送信され、宛名照会画面１２０の表示を終了させることができる。
【００８８】
（操作ログの具体例）
つぎに、図１０および図１１を用いて、クライアント端末１０２で行われた操作の操作ログの具体例について説明する。
【００８９】
図１０は、操作ログの具体例を示す説明図（その１）である。図１０において、操作ログ１０００は、クライアント端末１０２で行われた宛名検索についての操作の操作ログである。操作ログ１０００には、宛名検索が行われた日時（作成日、作成時間）、宛名検索を行った職員（職員コード、職員名称等）、個人番号以外の宛名情報（氏名、生年月日、性別、住所等）、宛名情報を参照した事由（事由コード、事由名等）などを特定可能な情報が含まれる。
【００９０】
操作ログ１０００によれば、いつ、誰が、どのような理由で、個人番号以外の宛名情報を参照したのかを特定することができる。
【００９１】
図１１は、操作ログの具体例を示す説明図（その２）である。図１１において、操作ログ１１００は、クライアント端末１０２で行われた個人番号表示についての操作の操作ログである。操作ログ１１００には、個人番号表示が行われた日時（作成日、作成時間）、個人番号表示を行った職員（職員コード、職員名称等）、個人番号を参照した業務（業務コード、業務名、処理内容等）、個人番号の参照有無などを特定可能な情報が含まれる。
【００９２】
操作ログ１１００によれば、いつ、誰が、どのような業務において、個人番号を参照したのかを特定することができる。また、操作ログ１１００に個人番号を含まないことで、特定個人情報である個人番号を含む操作ログが記録されることを防ぐことができる。
【００９３】
（表示制御装置１０１の個人情報表示処理手順）
つぎに、表示制御装置１０１の個人情報表示処理手順について説明する。
【００９４】
図１２は、表示制御装置１０１の個人情報表示処理手順の一例を示すフローチャートである。図１２のフローチャートにおいて、まず、表示制御装置１０１は、クライアント端末１０２からの宛名検索依頼を受け付けたか否かを判断する（ステップＳ１２０１）。ここで、表示制御装置１０１は、宛名検索依頼を受け付けるのを待つ（ステップＳ１２０１：Ｎｏ）。
【００９５】
そして、表示制御装置１０１は、宛名検索依頼を受け付けた場合（ステップＳ１２０１：Ｙｅｓ）、検索条件として入力された個人番号以外の個人情報を検索条件の繰り返し入力の対象として検索条件ファイルに記録する（ステップＳ１２０２）。なお、表示制御装置１０１は、検索条件として入力された個人番号については検索条件の繰り返し入力の対象として記録しない。
【００９６】
つぎに、表示制御装置１０１は、宛名情報ＤＢ２２０（例えば、図５参照）から、宛名検索依頼に対応する宛名情報を抽出する（ステップＳ１２０３）。そして、表示制御装置１０１は、抽出した宛名情報に基づいて、個人番号を表示しない状態での個人番号表示欄と、個人番号の表示指示を受け付ける操作部品とを含む宛名照会画面の画面情報を生成する（ステップＳ１２０４）。宛名照会画面は、宛名情報に含まれる個人番号以外の個人情報、例えば、宛名番号、氏名、生年月日、性別、住所等を含む。
【００９７】
つぎに、表示制御装置１０１は、生成した宛名照会画面の画面情報をクライアント端末１０２に送信することにより、クライアント端末１０２のディスプレイ４０６に宛名照会画面を表示させる（ステップＳ１２０５）。そして、表示制御装置１０１は、クライアント端末１０２からの個人番号の表示指示を受け付けたか否かを判断する（ステップＳ１２０６）。
【００９８】
ここで、個人番号の表示指示を受け付けていない場合（ステップＳ１２０６：Ｎｏ）、表示制御装置１０１は、クライアント端末１０２からの宛名照会画面の表示終了指示を受け付けたか否かを判断する（ステップＳ１２０７）。
【００９９】
ここで、宛名照会画面の表示終了指示を受け付けていない場合（ステップＳ１２０７：Ｎｏ）、表示制御装置１０１は、ステップＳ１２０６に戻る。一方、宛名照会画面の表示終了指示を受け付けた場合（ステップＳ１２０７：Ｙｅｓ）、表示制御装置１０１は、ステップＳ１２１１に移行する。
【０１００】
また、ステップＳ１２０６において、個人番号の表示指示を受け付けた場合（ステップＳ１２０６：Ｙｅｓ）、表示制御装置１０１は、個人番号表示についての操作の操作ログを記録する（ステップＳ１２０８）。そして、表示制御装置１０１は、クライアント端末１０２のディスプレイ４０６に表示された宛名照会画面内の個人番号表示欄に、宛名情報に含まれる個人番号を表示させる（ステップＳ１２０９）。
【０１０１】
つぎに、表示制御装置１０１は、クライアント端末１０２からの宛名照会画面の表示終了指示を受け付けたか否かを判断する（ステップＳ１２１０）。
【０１０２】
ここで、表示制御装置１０１は、宛名照会画面の表示終了指示を受け付けるのを待って（ステップＳ１２１０：Ｎｏ）、宛名照会画面の表示終了指示を受け付けた場合（ステップＳ１２１０：Ｙｅｓ）、宛名照会画面の表示を終了させて（ステップＳ１２１１）、本フローチャートによる一連の処理を終了する。
【０１０３】
これにより、宛名検索依頼に応じた検索結果を示す初期画面において、個人番号を表示しない状態での個人番号表示欄の表示を行うとともに、操作部品に対する操作による個人番号の表示指示に応じて、個人番号表示欄に個人番号を表示させることができる。
【０１０４】
以上説明したように、実施の形態にかかる表示制御装置１０１によれば、クライアント端末１０２からの宛名検索依頼を受け付けたことに応じて、宛名情報ＤＢ２２０から、宛名検索依頼に対応する宛名情報を抽出することができる。そして、表示制御装置１０１によれば、抽出した宛名情報のうちの、少なくとも個人番号の情報を除く情報を検索結果として出力することができる。
【０１０５】
具体的には、例えば、表示制御装置１０１は、宛名検索依頼に応じた検索結果を示す初期画面において、宛名情報に含まれる氏名の表示と、個人番号を表示しない状態での個人番号表示欄の表示とを行うとともに、個人番号の表示指示を受け付ける操作部品を表示する制御を行うことができる。これにより、自治体の職員が業務システム上で業務を行う際の無用な個人番号の表示を抑止することができる。
【０１０６】
また、表示制御装置１０１によれば、操作部品に対する操作による個人番号の表示指示に応じて、個人番号表示欄への個人番号の表示を行うことができる。これにより、職員による個人番号の参照が必要な場合には、宛名照会画面１２０などの初期画面での操作部品に対する操作に応じて個人番号を表示させることができる。
【０１０７】
また、表示制御装置１０１によれば、操作部品に対する操作による個人番号の表示指示に応じて、個人番号を表示させたことを示す操作ログを記録することができる。この際、表示制御装置１０１によれば、個人番号を含まない操作ログ（例えば、操作ログ１１００）を記録することができる。これにより、いつ、誰が、どのような業務において、個人番号を参照したのかを特定することが可能となる。また、特定個人情報である個人番号を含む操作ログが記録されることを防ぐことができる。
【０１０８】
また、表示制御装置１０１によれば、個人情報のいずれかを検索依頼の検索条件として受け付けることができる。例えば、表示制御装置１０１によれば、個人番号を指定した宛名検索依頼を受け付けた場合には、宛名情報ＤＢ２２０から、指定された個人番号に対応する宛名情報を抽出することができる。これにより、職員は、個人番号を検索条件として宛名情報を検索することができる。また、検索条件として個人番号が指定された場合であっても、宛名検索依頼に応じた検索結果を示す初期画面において個人番号の表示を抑止することができる。
【０１０９】
また、例えば、表示制御装置１０１によれば、氏名を指定した宛名検索依頼を受け付けた場合には、宛名情報ＤＢ２２０から、指定された氏名に対応する宛名情報を抽出することができる。これにより、職員は、氏名を検索条件として宛名情報を検索することができる。
【０１１０】
また、表示制御装置１０１によれば、検索条件として入力された個人番号以外の個人情報については検索条件の繰り返し入力の対象として記憶し、検索条件として入力された個人番号については検索条件の繰り返し入力の対象として記憶しない、制御を行うことができる。これにより、検索条件の繰り返し入力を可能にして業務を簡単化しつつ、特定個人情報である個人番号が、検索条件の繰り返し入力の対象として検索条件ファイル（例えば、検索条件ファイル８００）に記録されることを防ぐことができる。また、検索条件ファイルへの個人番号の記録にともなう操作ログの発生を防ぐことができる。
【０１１１】
なお、本実施の形態で説明した個人情報表示方法は、予め用意されたプログラムをパーソナル・コンピュータやワークステーション等のコンピュータで実行することにより実現することができる。本個人情報表示プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本個人情報表示プログラムは、インターネット等のネットワークを介して配布してもよい。
【０１１２】
上述した実施の形態に関し、さらに以下の付記を開示する。
【０１１３】
（付記１）宛名情報の表示制御を行う個人情報表示プログラムにおいて、
個人番号の表示に先立って、宛名情報の一部である氏名情報の表示と、前記個人番号を表示しない状態での個人番号表示欄の表示とを行うとともに、前記個人番号の表示指示を受け付ける操作部品を表示し、
前記操作部品に対する操作による前記個人番号の表示指示に応じて、該操作ログを記録するとともに、前記個人番号表示欄への前記個人番号の表示を行う、
処理をコンピュータに実行させることを特徴とする個人情報表示プログラム。
【０１１４】
（付記２）前記氏名情報と、前記個人番号表示欄と、前記操作部品とを含む表示は、宛名検索依頼に応じた検索結果を示す初期画面で行われる、ことを特徴とする付記１に記載の個人情報表示プログラム。
【０１１５】
（付記３）前記宛名検索依頼は、前記個人番号の指定を含むことを特徴とする付記２に記載の個人情報表示プログラム。
【０１１６】
（付記４）前記宛名検索依頼は、前記氏名の指定を含むことを特徴とする付記２に記載の個人情報表示プログラム。
【０１１７】
（付記５）前記操作ログは、前記個人番号を含まないことを特徴とする付記１〜４のいずれか一つに記載の個人情報表示プログラム。
【０１１８】
（付記６）宛名情報の表示制御を行う個人情報表示方法において、
個人番号の表示に先立って、宛名情報の一部である氏名情報の表示と、前記個人番号を表示しない状態での個人番号表示欄の表示とを行うとともに、前記個人番号の表示指示を受け付ける操作部品を表示し、
前記操作部品に対する操作による前記個人番号の表示指示に応じて、該操作ログを記録するとともに、前記個人番号表示欄への前記個人番号の表示を行う、
処理をコンピュータが実行することを特徴とする個人情報表示方法。
【０１１９】
（付記７）宛名情報の表示制御を行う表示制御装置において、
個人番号の表示に先立って、宛名情報の一部である氏名情報の表示と、前記個人番号を表示しない状態での個人番号表示欄の表示とを行うとともに、前記個人番号の表示指示を受け付ける操作部品を表示し、
前記操作部品に対する操作による前記個人番号の表示指示に応じて、該操作ログを記録するとともに、前記個人番号表示欄への前記個人番号の表示を行う、
制御部を有することを特徴とする表示制御装置。
【０１２０】
（付記８）個人情報の検索依頼を受け付け、
個人番号を含む個人情報を記憶した記憶部を参照して、前記検索依頼に対応する個人情報を読み出し、
読み出した前記個人情報の内の、少なくとも個人番号の情報を除く情報を検索結果として出力する、
処理をコンピュータに実行させることを特徴とする個人情報表示プログラム。
【０１２１】
（付記９）前記検索結果に前記個人番号について表示させる指示を受け付ける受け付け部を含める処理を、さらに前記コンピュータに実行させることを特徴とする付記８に記載の個人情報表示プログラム。
【０１２２】
（付記１０）前記受け付け部において前記個人番号について表示させる指示を受け付けた場合に、前記個人番号を表示させるとともに、該個人番号を表示させたことを表示ログ記憶部に記憶する処理を、さらに前記コンピュータに実行させることを特徴とする付記９に記載の個人情報表示プログラム。
【０１２３】
（付記１１）前記個人情報の何れかを前記検索依頼の検索条件として受け付け、
前記検索条件として入力された前記個人番号以外の個人情報については検索条件の繰り返し入力の対象として記憶し、前記検索条件として入力された前記個人番号については検索条件の繰り返し入力の対象として記憶しない、制御を行う、
処理をさらに前記コンピュータに実行させることを特徴とする付記８に記載の個人情報表示プログラム。
【０１２４】
（付記１２）個人情報の検索依頼を受け付け、
個人番号を含む個人情報を記憶した記憶部を参照して、前記検索依頼に対応する個人情報を読み出し、
読み出した前記個人情報の内の、少なくとも個人番号の情報を除く情報を検索結果として出力する、
処理をコンピュータが実行することを特徴とする個人情報表示方法。
【０１２５】
（付記１３）個人情報の検索依頼を受け付け、
個人番号を含む個人情報を記憶した記憶部を参照して、前記検索依頼に対応する個人情報を読み出し、
読み出した前記個人情報の内の、少なくとも個人番号の情報を除く情報を検索結果として出力する、
制御部を有することを特徴とする表示制御装置。
【符号の説明】
【０１２６】
１０１  表示制御装置
１０２  クライアント端末
１１０  記憶部
１２０  宛名照会画面
１３０  個人番号表示欄
１４０  操作部品
２００  業務支援システム
２２０  宛名情報ＤＢ
２３０  操作ログＤＢ
６００  宛名検索画面
７０１  受付部
７０２  抽出部
７０３  表示制御部
７０４  記録部
８００  検索条件ファイル
１０００，１１００  操作ログ
【図１】
0006693045.tif 000002
【図２】
0006693045.tif 000003
【図３】
0006693045.tif 000004
【図４】
0006693045.tif 000005
【図５】
0006693045.tif 000006
【図６】
0006693045.tif 000007
【図７】
0006693045.tif 000008
【図８】
0006693045.tif 000009
【図９】
0006693045.tif 000010
【図１０】
0006693045.tif 000011
【図１１】
0006693045.tif 000012
【図１２】
0006693045.tif 000013